(57)【要約】【課題】立ち上がり部の上端に棚板を設けた場合にも、棚板の水栓部への衝突を抑制しつつ、適切な高さの棚板、及び快適な手洗い空間を実現可能な洗面カウンタを提供する。【解決手段】カウンタ面を有するカウンタと、前記カウンタに設けられ、前記カウンタ面よりも下方に凹む凹状のボウル部と、前記カウンタの後端から上方に向かって延びる立ち上がり部と、前記立ち上がり部の上端から前方に向かって延び、上面及び下面を有する平板状の棚板と、前記立ち上がり部の前方に設けられ、前記ボウル部に向けて水を吐出する水栓部と、前記水栓部を前記棚板の前記下面に取り付ける取付部材と、を備えたことを特徴とする洗面カウンタである。【選択図】図１
2019024530.tif 000002
【特許請求の範囲】
【請求項１】
カウンタ面を有するカウンタと、
前記カウンタに設けられ、前記カウンタ面よりも下方に凹む凹状のボウル部と、
前記カウンタの後端から上方に向かって延びる立ち上がり部と、
前記立ち上がり部の上端から前方に向かって延び、上面及び下面を有する平板状の棚板と、
前記立ち上がり部の前方に設けられ、前記ボウル部に向けて水を吐出する水栓部と、
前記水栓部を前記棚板の前記下面に取り付ける取付部材と、
を備えたことを特徴とする洗面カウンタ。
【請求項２】
前記立ち上がり部に取り付けられる第１板部と、前記棚板の前記下面に取り付けられる第２板部と、を有し、前記棚板を支持する支持具をさらに備え、
前記取付部材は、前記第２板部を介して前記棚板の下面に取り付けられることを特徴とする請求項１記載の洗面カウンタ。
【請求項３】
前記水栓部は、２つ設けられ、
前記取付部材は、前記２つの水栓部を左右方向に並べて支持し、
前記支持具の左右方向の幅は、前記２つの水栓部の左右方向の距離よりも短く、
前記支持具は、前記２つの水栓部の間に設けられていることを特徴とする請求項２記載の洗面カウンタ。
【請求項４】
前記取付部材は、前記立ち上がり部に取り付けられる第１板部と、前記棚板の前記下面に取り付けられる第２板部と、を有し、前記第２板部に設けられた支持部において前記水栓部を支持することにより、前記水栓部を前記棚板の前記下面に取り付けることを特徴とする請求項１記載の洗面カウンタ。
【請求項５】
前記取付部材は、前記棚板の前記下面に取り付けられた状態において、前記水栓部の少なくとも一部を覆うことを特徴とする請求項１記載の洗面カウンタ。
【請求項６】
前記水栓部の少なくとも一部を覆うカバーをさらに備えたことを特徴とする請求項１〜４のいずれか１つに記載の洗面カウンタ。
【請求項７】
前記取付部材は、前記水栓部の前後方向を軸とする回転を規制することを特徴とする請求項１〜６のいずれか１つに記載の洗面カウンタ。
【発明の詳細な説明】
【技術分野】
【０００１】
本発明の態様は、一般的に、洗面カウンタに関する。
【背景技術】
【０００２】
洗面カウンタにおいて、カウンタの後端から上方に向かって延びる立ち上がり部を設けるとともに、立ち上がり部の上端から前方に突き出る棚板を設けることにより、十分な広さの手洗い空間を確保しつつ、十分な広さの荷物置きの空間も確保できるようにすることが提案されている。
【０００３】
こうした洗面カウンタにおいて、水を吐出する水栓部を立ち上がり部に取り付けると、荷物を置くなどして棚板が下方に撓んだ際に、棚板が水栓部に衝突し、水栓部が破損してしまう可能性がある。
【０００４】
一方、棚板と水栓部との衝突を避けるために、棚板と水栓部との距離を長くすると、棚板が過度に高くなって荷物などを置き難くなったり、反対に水栓部が下がり過ぎ、手洗い空間が狭くなったりしてしまう。
【０００５】
このため、洗面カウンタでは、立ち上がり部の上端に棚板を設けた場合にも、棚板の水栓部への衝突を抑制しつつ、適切な高さの棚板、及び快適な手洗い空間を実現することが望まれる。
【先行技術文献】
【特許文献】
【０００６】
【特許文献１】特開２０１３−２２０３０号公報
【発明の概要】
【発明が解決しようとする課題】
【０００７】
本発明は、かかる課題の認識に基づいてなされたものであり、立ち上がり部の上端に棚板を設けた場合にも、棚板の水栓部への衝突を抑制しつつ、適切な高さの棚板、及び快適な手洗い空間を実現可能な洗面カウンタを提供することを目的とする。
【課題を解決するための手段】
【０００８】
第１の発明は、カウンタ面を有するカウンタと、前記カウンタに設けられ、前記カウンタ面よりも下方に凹む凹状のボウル部と、前記カウンタの後端から上方に向かって延びる立ち上がり部と、前記立ち上がり部の上端から前方に向かって延び、上面及び下面を有する平板状の棚板と、前記立ち上がり部の前方に設けられ、前記ボウル部に向けて水を吐出する水栓部と、前記水栓部を前記棚板の前記下面に取り付ける取付部材と、を備えたことを特徴とする洗面カウンタである。
【０００９】
この洗面カウンタによれば、水栓部を棚板の下面に取り付けることで、棚板の撓みに応じて水栓部も動くようになり、棚板の水栓部への衝突を抑制することができる。従って、棚板と水栓部との距離を近付けることができる。これにより、棚板を適切な高さに設定しつつ、手洗い空間をなるべく広くすることができ、快適な手洗い空間を実現することができる。
【００１０】
第２の発明は、第１の発明において、前記立ち上がり部に取り付けられる第１板部と、前記棚板の前記下面に取り付けられる第２板部と、を有し、前記棚板を支持する支持具をさらに備え、前記取付部材は、前記第２板部を介して前記棚板の下面に取り付けられることを特徴とする洗面カウンタである。
【００１１】
この洗面カウンタによれば、棚板を支持する支持具を設けることにより、棚板の強度を確保することができる。そして、支持具の第２板部を介して取付部材を棚板の下面に取り付ける。すなわち、支持具で補強された部分に取付部材を取り付ける。これにより、棚板の撓みを抑制し、棚板の水栓部への衝突をより確実に抑制することができる。
【００１２】
第３の発明は、第２の発明において、前記水栓部は、２つ設けられ、前記取付部材は、前記２つの水栓部を左右方向に並べて支持し、前記支持具の左右方向の幅は、前記２つの水栓部の左右方向の距離よりも短く、前記支持具は、前記２つの水栓部の間に設けられていることを特徴とする洗面カウンタである。
【００１３】
この洗面カウンタによれば、棚板が撓んだ際の２つの水栓部と支持具との接触を抑制し、支持具との接触にともなう水栓部の破損などを抑制することができる。
【００１４】
第４の発明は、第１の発明において、前記取付部材は、前記立ち上がり部に取り付けられる第１板部と、前記棚板の前記下面に取り付けられる第２板部と、を有し、前記第２板部に設けられた支持部において前記水栓部を支持することにより、前記水栓部を前記棚板の前記下面に取り付けることを特徴とする洗面カウンタである。
【００１５】
この洗面カウンタによれば、第１板部と第２板部とによって棚板を支持し、棚板の強度を確保することができる。これにより、棚板の撓みを抑制し、棚板の水栓部への衝突をより確実に抑制することができる。
【００１６】
第５の発明は、第１の発明において、前記取付部材は、前記棚板の前記下面に取り付けられた状態において、前記水栓部の少なくとも一部を覆うことを特徴とする洗面カウンタである。
【００１７】
この洗面カウンタによれば、手洗い時に生じる水はねなどによる水栓部や棚板の下面の汚れを抑制することができる。また、カバーなどを別途設ける場合と比べて、部品点数の増加を抑制することもできる。
【００１８】
第６の発明は、第１〜第４のいずれか１つの発明において、前記水栓部の少なくとも一部を覆うカバーをさらに備えたことを特徴とする洗面カウンタである。
【００１９】
この洗面カウンタによれば、手洗い時に生じる水はねなどによる水栓部や棚板の下面の汚れを抑制することができる。
【００２０】
第７の発明は、第１〜第６のいずれか１つの発明において、前記取付部材は、前記水栓部の前後方向を軸とする回転を規制することを特徴とする洗面カウンタである。
【００２１】
この洗面カウンタによれば、水栓部から吐出される水の方向が変化してしまうことを抑制することができる。
【発明の効果】
【００２２】
本発明の態様によれば、立ち上がり部の上端に棚板を設けた場合にも、棚板の水栓部への衝突を抑制しつつ、適切な高さの棚板、及び快適な手洗い空間を実現可能な洗面カウンタが提供される。
【図面の簡単な説明】
【００２３】
【図１】実施形態に係る洗面カウンタを表す斜視図である。
【図２】実施形態に係る洗面カウンタの一部を拡大して表す部分斜視図である。
【図３】実施形態に係る洗面カウンタの一部を拡大して表す部分斜視図である。
【図４】実施形態に係る洗面カウンタの一部を拡大して表す部分正面図である。
【図５】実施形態に係る洗面カウンタの一部を拡大して表す部分断面図である。
【図６】実施形態に係る洗面カウンタを表す分解斜視図である。
【図７】実施形態に係る洗面カウンタの一部を拡大して表す部分断面図である。
【図８】実施形態に係る洗面カウンタの変形例を表す部分断面図である。
【図９】実施形態に係る洗面カウンタの変形例を表す部分断面図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、実施形態に係る洗面カウンタを表す斜視図である。  
図２及び図３は、実施形態に係る洗面カウンタの一部を拡大して表す部分斜視図である。  
図４は、実施形態に係る洗面カウンタの一部を拡大して表す部分正面図である。  
図１〜図４に表したように、洗面カウンタ１０は、カウンタ１２と、ボウル部１４と、立ち上がり部１６と、棚板１８と、第１水栓部２１と、第２水栓部２２と、カバー２４と、支持具２６と、取付部材２８と、を備えている。
【００２５】
図１は、洗面カウンタ１０を斜め上方から見た状態を表している。図２は、洗面カウンタ１０の第１水栓部２１、第２水栓部２２、及びカバー２４の設けられた部分を斜め下方から見た状態を表している。図３は、図２と実質的に同じ視点において、カバー２４を取り外した状態を表している。図４は、カバー２４の一部を切り欠いた状態において、第１水栓部２１及び第２水栓部２２を正面から見た状態を表している。
【００２６】
カウンタ１２は、カウンタ面１２ａを有する。カウンタ面１２ａは、上方を向き、荷物などの載置を可能にする。カウンタ面１２ａは、換言すれば、カウンタ１２の上面である。カウンタ面１２ａは、例えば、水平面である。カウンタ面１２ａは、荷物などを載置可能な程度の傾きを有していてもよい。また、カウンタ面１２ａは、例えば、荷物などを載置可能な程度の凹凸や反り（曲面状の部分）などを有していてもよい。
【００２７】
ボウル部１４は、カウンタ１２に設けられ、カウンタ面１２ａよりも下方に凹む凹状である。ボウル部１４は、例えば、凹状のボウル面１４ａと、ボウル面１４ａの底部に設けられた排水口１４ｂと、を有する。排水口１４ｂは、下方において図示省略した排水管と接続され、ボウル面１４ａに吐出された水を排水管に流す。ボウル部１４は、例えば、排水口１４ｂを開閉する排水栓や、ボウル面１４ａからの水の溢れを抑制するオーバーフロー口などを有していてもよい。
【００２８】
立ち上がり部１６は、カウンタ１２の後端から上方に向かって延びる。立ち上がり部１６の左右方向の幅は、例えば、カウンタ１２の左右方向の幅と実質的に同じである。換言すれば、立ち上がり部１６は、カウンタ１２の後端全体から上方に向かって延びる。但し、立ち上がり部１６の左右方向の幅は、カウンタ１２の左右方向の幅と異なってもよい。
【００２９】
立ち上がり部１６は、前方を向く立ち上がり面１６ａを有する。立ち上がり面１６ａは、換言すれば、立ち上がり部１６の前面である。立ち上がり面１６ａは、例えば、垂直面である。但し、立ち上がり面１６ａは、垂直面に限ることなく、傾斜していてもよいし、凹凸や反りなどを有していてもよい。
【００３０】
棚板１８は、立ち上がり部１６の上端から前方に向かって延びる。棚板１８は、例えば、立ち上がり部１６の上端を覆う。棚板１８の左右方向の幅は、例えば、カウンタ１２の左右方向の幅、及び立ち上がり部１６の左右方向の幅と実質的に同じである。棚板１８は、例えば、立ち上がり部１６の上端全体を覆う。但し、棚板１８の左右方向の幅は、カウンタ１２の左右方向の幅、及び立ち上がり部１６の左右方向の幅と異なってもよい。
【００３１】
棚板１８は、上面１８ａと下面１８ｂとを有する。上面１８ａは、上方を向き、荷物などの載置を可能にする。上面１８ａは、例えば、水平面である。上面１８ａは、荷物などを載置可能な程度の傾きを有していてもよい。また、上面１８ａは、例えば、荷物などを載置可能な程度の凹凸や反りなどを有していてもよい。
【００３２】
下面１８ｂは、下方を向き、カウンタ面１２ａ及びボウル面１４ａと対向する。下面１８ｂは、例えば、上面１８ａと略平行である。棚板１８は、例えば、略矩形の平板状である。但し、下面１８ｂは、上面１８ａと非平行でもよい。下面１８ｂは、凹凸や反りなどを有していてもよい。
【００３３】
第１水栓部２１は、立ち上がり部１６の前方に設けられる。第１水栓部２１は、ボウル部１４に向けて水を吐出する吐水口２１ａを有する。第１水栓部２１の吐出する水は、例えば、手洗いなどを行うための洗浄水である。洗浄水は、例えば、水道水や地下水などである。また、洗浄水は、給水源から供給されたままの水でもよいし、加熱されたお湯でもよい。
【００３４】
第２水栓部２２は、立ち上がり部１６の前方において、第１水栓部２１と左右方向に並べて設けられている。第２水栓部２２は、ボウル部１４に向けて水を吐出する吐水口２２ａを有する。第２水栓部２２の吐出する水は、例えば、石鹸水である。このように、第１水栓部２１及び第２水栓部２２の吐出する水は、水やお湯でもよいし、石鹸水などでもよい。また、石鹸水は、液状でもよいし、泡状でもよい。
【００３５】
洗面カウンタ１０は、第１水栓部２１及び第２水栓部２２の２つの水栓部を有している。洗面カウンタ１０に設けられる水栓部の数は、１つでもよいし、３つ以上でもよい。例えば、洗面カウンタ１０が公共施設などに設置される場合などに、複数の水栓部を設けることにより、複数の使用者が同時に手洗いなどをできるようにしてもよい。
【００３６】
第１水栓部２１及び第２水栓部２２は、前後方向に延びる円柱状の水栓本体２１ｂ、２２ｂと、水栓本体２１ｂ、２２ｂの下部から下方に突出した吐水部２１ｃ、２２ｃと、を有する。吐水口２１ａ、２２ａは、吐水部２１ｃ、２２ｃの先端に設けられている。吐水口２１ａ、２２ａは、例えば、ボウル部１４に向けて斜め下方に水を吐出する。水栓本体２１ｂ、２２ｂの形状は、上記に限ることなく、任意の形状でよい。吐水口２１ａ、２２ａの配置は、上記に限ることなく、水栓本体２１ｂ、２２ｂの形状などに応じた任意の配置でよい。例えば、水栓本体２１ｂ、２２ｂの前端部に、吐水口２１ａ、２２ａを設けてもよい。
【００３７】
第１水栓部２１及び第２水栓部２２は、使用者の手などの対象物を検出するためのセンサ部２１ｄ、２２ｄを有する。センサ部２１ｄ、２２ｄは、使用者の手などの対象物の検出を行い、検出結果を外部のコントローラなどに出力する。コントローラは、センサ部２１ｄ、２２ｄによる対象物の検出に応じて、電磁弁などを開閉することにより、吐水口２１ａ、２２ａから水を吐出する。このように、第１水栓部２１及び第２水栓部２２は、手などを差し出すだけで水が吐出される、いわゆる自動水栓として用いられる。センサ部２１ｄ、２２ｄは、例えば、赤外線を照射し、対象物からの反射波を受光して対象物の有無を検出する赤外線センサである。センサ部２１ｄ、２２ｄは、赤外線センサに限ることなく、使用者の手などの対象物を検出可能な任意のセンサでよい。第１水栓部２１及び第２水栓部２２は、自動水栓に限ることなく、ハンドルやレバーなどの操作に応じて吐止水を切り替える手動式の水栓でもよい。センサ部２１ｄ、２２ｄは、必要に応じて設けられ、省略可能である。
【００３８】
支持具２６は、例えば、第１板部２６ａと、第２板部２６ｂと、を有する略Ｌ字の板状である。支持具２６は、例えば、略Ｌ字の金属板である。第１板部２６ａは、ネジ止めなどにより、立ち上がり部１６の立ち上がり面１６ａに取り付けられる。第２板部２６ｂは、ネジ止めなどにより、棚板１８の下面１８ｂに取り付けられる。これにより、支持具２６は、棚板１８を支持する。このように、立ち上がり部１６の立ち上がり面１６ａと棚板１８の下面１８ｂとを支持具２６を介して接続することにより、例えば、棚板１８に上方から加わる荷重に対しての強度を高めることができる。
【００３９】
取付部材２８は、第１水栓部２１及び第２水栓部２２を棚板１８の下面１８ｂに取り付ける。取付部材２８は、第１水栓部２１及び第２水栓部２２を左右方向に並べて支持する。この例において、取付部材２８は、第２板部２６ｂを介して棚板１８の下面１８ｂに取り付けられる。支持具２６の左右方向の幅Ｗ１は、第１水栓部２１と第２水栓部２２との間の左右方向の距離Ｌ１よりも短い。支持具２６は、第１水栓部２１と第２水栓部２２との間に設けられている。
【００４０】
取付部材２８は、例えば、ネジ止めなどにより、支持具２６の第２板部２６ｂに下方から取り付けられる中央部２８ａと、中央部２８ａから左右方向の一方に延び、第１水栓部２１を支持する第１支持部２８ｂと、中央部２８ａから左右方向の他方に延び、第２水栓部２２を支持する第２支持部２８ｃと、を有する。
【００４１】
第１支持部２８ｂは、例えば、第１水栓部２１の下面の少なくとも一部を支持する。換言すれば、第１支持部２８ｂは、第１水栓部２１の少なくとも一部を下方から支持する。第１水栓部２１は、下方から挿入されるネジ２８ｄにより、支持された状態で第１支持部２８ｂに取り付けられる。同様に、第２支持部２８ｃは、例えば、第２水栓部２２の下面の少なくとも一部を支持する。第２支持部２８ｃは、第２水栓部２２の少なくとも一部を下方から支持する。第２水栓部２２は、下方から挿入されるネジ２８ｅにより、支持された状態で第２支持部２８ｃに取り付けられる。
【００４２】
このように、取付部材２８は、ネジ２８ｄ、２８ｅで第１水栓部２１及び第２水栓部２２を第１支持部２８ｂ、第２支持部２８ｃに取り付ける。これにより、取付部材２８は、第１水栓部２１及び第２支持部２２の前後方向を軸とする回転を規制する。換言すれば、取付部材２８は、円柱状の第１水栓部２１及び第２支持部２２の軸周りの回転を規制する。
【００４３】
棚板１８の前端１８ｆは、第１水栓部２１の前端２１ｆ、及び第２水栓部２２の前端２２ｆよりも前方に位置する。換言すれば、棚板１８の前端１８ｆは、第１水栓部２１の前端２１ｆ、及び第２水栓部２２の前端２２ｆよりも前方に突き出ている。前端２１ｆ、２２ｆは、第１水栓部２１及び第２水栓部２２において、最も前方に位置する部分である。この例において、前端２１ｆ、２２ｆは、水栓本体２１ｂ、２２ｂの前端である。これにより、棚板１８の上面１８ａにおいて、荷物などを載置するための適切な広さを得ることができる。
【００４４】
また、棚板１８の前端１８ｆは、例えば、カウンタ１２の前端１２ｆよりも後方に位置する。棚板１８の前端１８ｆは、カウンタ１２の前端１２ｆよりも前方には突出しない。棚板１８の前端１８ｆは、例えば、第１水栓部２１の前端２１ｆ及び第２水栓部２２の前端２２ｆと、カウンタ１２の前後方向の長さの中央と、の間に位置する。これにより、棚板１８の上面１８ａにおいて、荷物などを載置するための適切な広さを確保しつつ、棚板１８が手洗いなどの邪魔になってしまうことを抑制することができる。
【００４５】
カバー２４は、第１水栓部２１及び第２水栓部２２の少なくとも一部を覆う。カバー２４は、例えば、第１水栓部２１、第２水栓部２２、支持具２６、及び取付部材２８のそれぞれの前方、両側方、及び下方の少なくとも一部を覆う。これにより、カバー２４は、立ち上がり部１６及び棚板１８とともに、これらの部材の前後左右上下の各方向からの視認を抑制する。これにより、洗面カウンタ１０の意匠性を向上させることができる。
【００４６】
カバー２４は、例えば、ネジ止めなどにより、取付部材２８に下方から取り付けられる。カバー２４は、例えば、支持具２６及び取付部材２８を介して棚板１８の下面１８ｂに取り付けられる。
【００４７】
カバー２４の上端は、棚板１８の下面１８ｂに近接して配置される。カバー２４の上端と棚板１８の下面１８ｂとの間の距離は、例えば、３ｍｍ以下である。これにより、カバー２４の上端と棚板１８の下面１８ｂとの間の隙間から第１水栓部２１、第２水栓部２２、支持具２６、及び取付部材２８などの各部材が視認されてしまうことを抑制することができる。カバー２４の上端は、棚板１８の下面１８ｂに接していてもよい。これにより、各部材の視認をより確実に抑制することができる。
【００４８】
カバー２４の後端は、立ち上がり部１６の立ち上がり面１６ａに近接して配置される。カバー２４の後端と立ち上がり部１６の立ち上がり面１６ａとの間の距離は、例えば、１０ｍｍ以下である。これにより、カバー２４の後端と立ち上がり部１６の立ち上がり面１６ａとの間の隙間から第１水栓部２１、第２水栓部２２、支持具２６、及び取付部材２８などの各部材が視認されてしまうことを抑制することができる。カバー２４の後端は、立ち上がり部１６の立ち上がり面１６ａに接していてもよい。これにより、各部材の視認をより確実に抑制することができる。
【００４９】
このように、カバー２４の上端は、棚板１８の下面１８ｂに近接して配置される。これにより、カバー２４は、第１水栓部２１と棚板１８との間の空間ＳＰ１の前方及び側方の少なくとも一部を覆う。同様に、カバー２４は、第２水栓部２２と棚板１８との間の空間ＳＰ２の前方及び側方の少なくとも一部を覆う。
【００５０】
また、カバー２４は、第１水栓部２１の前端２１ｆの少なくとも一部、及び第２水栓部２２の前端２２ｆの少なくとも一部を覆う。この例において、カバー２４は、前後方向において、第１水栓部２１の前端２１ｆの全体、及び第２水栓部２２の前端２２ｆの全体を覆う。
【００５１】
カバー２４は、例えば、前面部３０と、一対の側面部３１、３２と、底面部３３と、を有する。前面部３０は、第１水栓部２１、第２水栓部２２、支持具２６、及び取付部材２８のそれぞれの前方を覆う。前面部３０は、空間ＳＰ１、ＳＰ２の前方の少なくとも一部を覆う。この例において、前面部３０は、空間ＳＰ１、ＳＰ２の前方の全体を覆う。一対の側面部３１、３２は、第１水栓部２１、第２水栓部２２、支持具２６、及び取付部材２８のそれぞれの側方を覆う。側面部３１、３２は、空間ＳＰ１、ＳＰ２の側方の少なくとも一部を覆う。側面部３１、３２は、前面部３０から吐水口２１ａ、２２ａよりも後方まで延びる。側面部３１、３２は、前面部３０から吐水口２１ａ、２２ａまでの間において、空間ＳＰ１、ＳＰ２の側方の全体を覆う。カバー２４は、例えば、空間ＳＰ１、ＳＰ２の前方の全体を覆うとともに、空間ＳＰ１、ＳＰ２の側方の吐水口２１ａ、２２ａよりも前方の部分の全体を覆う。側面部３１、３２は、吐水口２１ａ、２２ａから立ち上がり面１６ａまでの間において、空間ＳＰ１、ＳＰ２の側方の少なくとも一部を覆う。底面部３３は、第１水栓部２１、第２水栓部２２、支持具２６、及び取付部材２８のそれぞれの下方を覆う。底面部３３は、前面部３０から吐水口２１ａ、２２ａよりも後方まで延びる。
【００５２】
カバー２４は、第１水栓部２１の吐水口２１ａを露出させる開口４１と、第２水栓部２２の吐水口２２ａを露出させる開口４２と、を有する。この例では、第１水栓部２１及び第２水栓部２２の下部に設けられた吐水口２１ａ、２２ａと対向するように、開口４１、４２が、底面部３３に設けられている。これにより、第１水栓部２１及び第２水栓部２２をカバー２４で覆いつつ、吐水口２１ａ、２２ａからの水の吐出を可能とする。
【００５３】
この例において、開口４１は、吐水口２１ａを露出させるとともに、センサ部２１ｄの一部を露出させる。より詳しくは、開口４１は、センサ部２１ｄの赤外線透過窓を露出させる。これにより、第１水栓部２１をカバー２４で覆った際にも、使用者などの手の検出が可能となる。同様に、開口４２は、吐水口２２ａを露出させるとともに、センサ部２２ｄの一部を露出させる。
【００５４】
第１水栓部２１の吐水部２１ｃの下端は、開口４１から下方に突出する。第２水栓部２２の吐水部２２ｃの下端は、開口４２から下方に突出する。このように、第１水栓部２１の一部及び第２水栓部２２の一部は、カバー２４よりも外側に突出していてもよい。すなわち、カバー２４は、第１水栓部２１及び第２水栓部２２の前方の少なくとも一部を覆う。カバー２４は、第１水栓部２１及び第２水栓部２２の側方の少なくとも一部を覆う。カバー２４は、第１水栓部２１及び第２水栓部２２の下方の少なくとも一部を覆う。
【００５５】
カバー２４は、第１水栓部２１及び第２水栓部２２の下方を覆う底面部３３に、内部に浸入した水を抜くための水抜き孔４４、４５、４６を有する。水抜き孔の数は、３つに限ることなく、任意の数でよい。また、水抜き孔４４、４５、４６は、必要に応じて設けられ、省略可能である。
【００５６】
カバー２４の前面部３０には、表示部３０ａ、３０ｂが設けられている。表示部３０ａは、第１水栓部２１に対応して設けられ、第１水栓部２１の機能を表す。換言すれば、表示部３０ａは、第１水栓部２１から吐出される水の種類を表す。表示部３０ｂは、第２水栓部２２に対応して設けられ、第２水栓部２２の機能を表す。換言すれば、表示部３０ｂは、第２水栓部２２から吐出される水の種類を表す。表示部３０ａ、３０ｂは、例えば、ピクトグラムである。すなわち、この例において、表示部３０ａは、第１水栓部２１から洗浄水が吐出されることを表すピクトグラムであり、表示部３０ｂは、第２水栓部２２から石鹸水が吐出されることを表すピクトグラムである。
【００５７】
表示部３０ａ、３０ｂは、例えば、発光することなどにより、演出性や意匠性を高めるようにしてもよい。また、表示部３０ａ、３０ｂは、例えば、第１水栓部２１及び第２水栓部２２の動作に応じて点滅することなどにより、第１水栓部２１及び第２水栓部２２の動作に応じた表示を行うようにしてもよい。表示部３０ａ、３０ｂを設ける位置は、前面部３０に限ることなく、カバー２４の任意の位置でよい。表示部３０ａ、３０ｂは、カバー２４とは別の部材として設けてもよい。
【００５８】
図５は、実施形態に係る洗面カウンタの一部を拡大して表す部分断面図である。  
図５に表したように、棚板１８は、上面１８ａ及び下面１８ｂを有する平板状の棚板本体１８ｍと、棚板本体１８ｍの下面１８ｂから下方に突出した凸部１８ｃと、を有する。凸部１８ｃは、例えば、棚板本体１８ｍと別体に設けられ、接着などにより、下面１８ｂに略一体に取り付けられる。凸部１８ｃは、棚板本体１８ｍと一体に成形してもよい。棚板本体１８ｍ及び凸部１８ｃには、例えば、人工大理石が用いられる。凸部１８ｃの材料は、棚板本体１８ｍの材料と異なってもよい。凸部１８ｃには、例えば、金属材料など、人口大理石よりも加工のし易い材料を用いてもよい。
【００５９】
凸部１８ｃには、接合部材１８ｓが挿通されている。凸部１８ｃには、例えば、接合部材１８ｓと接合される被接合部材１８ｎが設けられる。接合部材１８ｓは、例えば、ネジである。被接合部材１８ｎは、例えば、インサートナットである。凸部１８ｃに人口大理石を用いる場合、被接合部材１８ｎは、例えば、埋め込み成形によって凸部１８ｃに設けられる。
【００６０】
支持具２６の第２板部２６ｂは、下面１８ｂに取り付けられた状態で凸部１８ｃを入り込ませるための凹部２６ｃを有する。凸部１８ｃ及び凹部２６ｃは、第１水栓部２１と第２水栓部２２との間に設けられている。
【００６１】
支持具２６の凹部２６ｃ及び取付部材２８の中央部２８ａには、接合部材１８ｓを挿通するための貫通孔が設けられている。支持具２６及び取付部材２８は、貫通孔に接合部材１８ｓを挿通した状態で、下方から接合部材１８ｓに被接合部材２８ｎを取り付け、下面１８ｂと被接合部材２８ｎとの間に挟まれることにより、下面１８ｂに取り付けられる。被接合部材２８ｎは、例えば、ネジである接合部材１８ｓと螺合するナット（蝶ナット）である。
【００６２】
接合部材１８ｓは、通常のネジでもよい。支持具２６及び取付部材２８に対し、通常のネジを下方から挿通し、凸部１８ｃのインサートナットと螺合させることにより、支持具２６及び取付部材２８を下面１８ｂに取り付けてもよい。
【００６３】
凹部２６ｃは、前後方向に延びる。凹部２６ｃは、例えば、前後方向に延び、第１板部２６ａと接続されている。換言すれば、凹部２６ｃの少なくとも一部は、第１板部２６ａと一体に形成されている。これにより、例えば、第２板部２６ｂを平板状に形成した場合と比べて、支持具２６の強度をより高めることができる。
【００６４】
図６は、実施形態に係る洗面カウンタを表す分解斜視図である。  
図７は、実施形態に係る洗面カウンタの一部を拡大して表す部分断面図である。  
図６及び図７に表したように、立ち上がり部１６は、上端から下方に向かって凹む凹部１６ｂを有する。棚板１８は、下方に向かって突出し、立ち上がり部１６の凹部１６ｂに嵌る凸部１８ｐを有する。
【００６５】
凹部１６ｂ及び凸部１８ｐには、前方（立ち上がり面１６ａ側）から接合部材５０が挿入される。棚板１８は、前方から挿入された接合部材５０で凸部１８ｐと凹部１６ｂとを接合することにより、立ち上がり部１６の上端に取り付けられる。接合部材５０は、例えば、ネジである。接合部材５０は、凸部１８ｐと凹部１６ｂとを接合可能な任意の部材でよい。この例において、棚板１８は、２つの凸部１８ｐを有する。凸部１８ｐの数は、２つに限ることなく、１つでもよいし、３つ以上でもよい。例えば、１つの凸部１８ｐに対して複数の接合部材５０を挿入してもよい。
【００６６】
以上、説明したように、本実施形態に係る洗面カウンタ１０では、第１水栓部２１及び第２水栓部２２を棚板１８の下面１８ｂに取り付けることで、棚板１８の撓みに応じて第１水栓部２１及び第２水栓部２２も動くようになり、棚板１８の第１水栓部２１及び第２水栓部２２への衝突を抑制することができる。従って、棚板１８と第１水栓部２１及び第２水栓部２２との距離を近付けることができる。これにより、棚板１８を適切な高さに設定しつつ、手洗い空間をなるべく広くすることができ、快適な手洗い空間を実現することができる。
【００６７】
また、洗面カウンタ１０では、棚板１８を支持する支持具２６を設けることにより、棚板１８の強度を確保することができる。そして、支持具２６の第２板部２６ｂを介して取付部材２８を棚板１８の下面１８ｂに取り付ける。すなわち、支持具２６で補強された部分に取付部材２８を取り付ける。これにより、棚板１８の撓みを抑制し、棚板１８の第１水栓部２１及び第２水栓部２２への衝突をより確実に抑制することができる。
【００６８】
また、洗面カウンタ１０では、支持具２６の左右方向の幅Ｗ１が、第１水栓部２１と第２水栓部２２との間の左右方向の距離Ｌ１よりも短く、支持具２６が、第１水栓部２１と第２水栓部２２との間に設けられている。これにより、棚板１８が撓んだ際の第１水栓部２１及び第２水栓部２２と支持具２６との接触を抑制し、支持具２６との接触にともなう第１水栓部２１及び第２水栓部２２の破損などを抑制することができる。
【００６９】
また、洗面カウンタ１０では、第１水栓部２１及び第２水栓部２２の少なくとも一部を覆うカバー２４を備えたことにより、手洗い時に生じる水はねなどによる第１水栓部２１及び第２水栓部２２や棚板１８の下面１８ｂの汚れを抑制することができる。
【００７０】
カバー２４は、例えば、空間ＳＰ１、ＳＰ２の前方の全体を覆うとともに、空間ＳＰ１、ＳＰ２の側方の吐水口２１ａ、２２ａよりも前方の部分の全体を覆う。これにより、水はねの影響の大きい吐水口２１ａ、２２ａよりも前方の部分において、空間ＳＰ１、ＳＰ２を適切に覆うことができる。棚板１８の下面１８ｂ、第１水栓部２１及び第２水栓部２２の上部への水はねを、より適切に軽減することができる。
【００７１】
また、洗面カウンタ１０では、取付部材２８が、第１水栓部２１及び第２水栓部２２の前後方向を軸とする回転を規制する。これにより、第１水栓部２１及び第２水栓部２２から吐出される水の方向が変化してしまうことを抑制することができる。
【００７２】
図８は、実施形態に係る洗面カウンタの変形例を表す部分断面図である。  
なお、上記実施形態と機能・構成上実質的に同じものには、同符号を付し、詳細な説明は、省略する。  
図８に表したように、この例では、取付部材２８が、立ち上がり部１６に取り付けられる第１板部２８ｇと、棚板１８の下面１８ｂに取り付けられる第２板部２８ｈと、を有している。第１支持部２８ｂ及び第２支持部２８ｃは、第２板部２８ｈに設けられている。取付部材２８は、第２板部２８ｈに設けられた第１支持部２８ｂ及び第２支持部２８ｃにおいて第１水栓部２１及び第２水栓部２２を支持することにより、第１水栓部２１及び第２水栓部２２を棚板１８の下面１８ｂに取り付ける。すなわち、この例では、取付部材２８に上記実施形態の支持具２６の機能も持たせている。
【００７３】
このように構成された取付部材２８においても、第１板部２８ｇと第２板部２８ｈとによって棚板１８を支持し、棚板１８の強度を確保することができる。これにより、棚板１８の撓みを抑制し、棚板１８の第１水栓部２１及び第２水栓部２２への衝突をより確実に抑制することができる。
【００７４】
図９は、実施形態に係る洗面カウンタの変形例を表す部分断面図である。  
図９に表したように、この例では、カバー２４が、第１水栓部２１を支持する第１支持部２４ａと、第２水栓部２２を支持する第２支持部２４ｂと、を有している。このように、カバー２４によって、第１水栓部２１及び第２水栓部２２を棚板１８の下面１８ｂに取り付けてもよい。すなわち、カバー２４に取付部材２８の機能を持たせてもよい。この場合、カバー２４は、例えば、支持具２６に取り付けられる。カバー２４は、例えば、棚板１８の凸部１８ｃに取り付けてもよい。
【００７５】
カバー２４は、棚板１８の下面１８ｂに取り付けられた状態において、第１水栓部２１及び第２水栓部２２の少なくとも一部を覆う。これにより、手洗い時に生じる水はねなどによる第１水栓部２１及び第２水栓部２２や棚板１８の下面１８ｂの汚れを抑制することができる。また、カバー２４と取付部材２８とを設ける場合と比べて、部品点数の増加を抑制することもできる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面カウンタ１０が備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０ 洗面カウンタ、  １２ カウンタ、  １４ ボウル部、  １６ 立ち上がり部、  １８ 棚板、  ２０ 水栓部、  ２１ 第１水栓部、  ２２ 第２水栓部、  ２４ カバー、  ２６ 支持具、２８ 取付部材、  ３０ 前面部、  ３１、３２ 側面部、  ３３ 底面部、  ４１、４２ 開口、  ４４、４５、４６ 水抜き孔、  ５０ 接合部材
【図１】
2019024530.tif 000003
【図２】
2019024530.tif 000004
【図３】
2019024530.tif 000005
【図４】
2019024530.tif 000006
【図５】
2019024530.tif 000007
【図６】
2019024530.tif 000008
【図７】
2019024530.tif 000009
【図８】
2019024530.tif 000010
【図９】
2019024530.tif 000011